(57)【要約】【課題】電気的な接続不良の発生が抑制された電力変換装置を提供する。【解決手段】電力変換装置はバッテリと接続されるフィルタ３２０と、フィルタを介して供給されたバッテリの電圧を変換するコンバータと、フィルタとコンバータを接続する回路バスバ３３１，３３２と、を有する。フィルタは、回路バスバと接続されるコイル３２１，３２２と、コイルを収納するフィルタハウジング３２７と、コイルをフィルタハウジングに固定する樹脂部材３２８と、を有する。回路バスバがフィルタハウジングに固定されている。【選択図】図４
2020108250.tif 000002
【特許請求の範囲】
【請求項１】
バッテリ（２００）と接続されるフィルタ（３２０）と、
前記フィルタを介して供給された前記バッテリの電圧を変換するコンバータ（３３０）と、
前記フィルタと前記コンバータを接続する回路バスバ（３３１，３３２）と、を有し、
前記フィルタは、前記回路バスバと接続される受動素子（３２１，３２２）と、前記受動素子を収納するフィルタハウジング（３２７）と、前記受動素子を前記フィルタハウジングに固定する樹脂部材（３２８）と、を有し、
前記回路バスバが前記フィルタハウジングに固定されている電力変換装置。
【請求項２】
前記バッテリと前記受動素子を接続する電源バスバ（３１１，３１２）と、
前記バッテリと接続される平滑コンデンサ（３５１）、および、前記平滑コンデンサを収納するコンデンサハウジング（３５４）を備えるコンデンサユニット（３５０）と、
前記フィルタ、前記コンバータ、前記回路バスバ、前記電源バスバ、および、前記コンデンサユニットそれぞれを収納するケース（３８０）と、を有し、
前記電源バスバは前記コンデンサハウジングに固定され、
前記フィルタハウジングと前記コンデンサハウジングそれぞれが前記ケースに固定されている請求項１に記載の電力変換装置。
【請求項３】
前記フィルタハウジングには局所的に凹んだ凹部（３２７ａ）が形成され、
前記受動素子は前記凹部に設けられ、
前記受動素子の一部が前記樹脂部材に埋設されている請求項１または請求項２に記載の電力変換装置。
【請求項４】
バッテリ（２００）と接続されるフィルタ（３２０）と、
前記フィルタを介して供給された前記バッテリの電圧を変換するコンバータ（３３０）と、
前記バッテリと前記フィルタを接続する電源バスバ（３１１，３１２）、および、前記電源バスバを収納するバスバハウジング（３１３）を備える端子台（３１０）と、
前記フィルタと前記コンバータを接続する回路バスバ（３３１，３３２）と、を有し、
前記フィルタは、前記電源バスバと前記回路バスバそれぞれと接続される受動素子（３２１，３２２）と、前記受動素子を前記バスバハウジングに固定する樹脂部材（３２８）と、を有し、
前記回路バスバが前記バスバハウジングに固定されている電力変換装置。
【請求項５】
前記電源バスバは前記バスバハウジングに固定されている請求項４に記載の電力変換装置。
【請求項６】
前記バスバハウジングには局所的に凹んだ凹部（３１３ａ）が形成され、
前記受動素子は前記凹部に設けられ、
前記受動素子の一部が前記樹脂部材に埋設されている請求項５に記載の電力変換装置。
【請求項７】
バッテリ（２００）と接続されるフィルタ（３２０）と、
前記フィルタを介して供給された前記バッテリの電圧を変換するコンバータ（３３０）と、
前記バッテリと接続される平滑コンデンサ（３５１）、および、前記平滑コンデンサを収納するコンデンサハウジング（３５４）を備えるコンデンサユニット（３５０）と、
前記フィルタと前記コンバータを接続する回路バスバ（３３１，３３２）と、を有し、
前記フィルタは、前記回路バスバと接続される受動素子（３２１，３２２）と、前記受動素子を前記コンデンサハウジングに固定する樹脂部材（３２８）と、を有し、
前記回路バスバが前記コンデンサハウジングに固定されている電力変換装置。
【請求項８】
前記バッテリと前記受動素子を接続する電源バスバ（３１１，３１２）を有し、
前記電源バスバは前記コンデンサハウジングに固定されている請求項７に記載の電力変換装置。
【請求項９】
前記コンデンサハウジングには局所的に凹んだ凹部（３５４ａ）が形成され、
前記受動素子は前記凹部に設けられ、
前記受動素子の一部が前記樹脂部材に埋設されている請求項７または請求項８に記載の電力変換装置。
【請求項１０】
バッテリ（２００）と接続されるフィルタ（３２０）と、
前記フィルタを介して供給された前記バッテリの電圧を変換するコンバータ（３３０）と、
前記バッテリと前記フィルタを接続する電源バスバ（３１１，３１２）、および、前記電源バスバを収納するバスバハウジング（３１３）を備える端子台（３１０）と、
前記フィルタと前記コンバータを接続する回路バスバ（３３１，３３２）と、
前記バッテリと接続される平滑コンデンサ（３５１）、および、前記平滑コンデンサを収納するコンデンサハウジング（３５４）を備えるコンデンサユニット（３５０）と、を有し、
前記フィルタは、前記電源バスバと前記回路バスバそれぞれと接続される受動素子（３２１，３２２）と、前記受動素子を収納するフィルタハウジング（３２７）と、前記受動素子を前記フィルタハウジングに固定する樹脂部材（３２８）と、を有し、
前記フィルタハウジングと前記回路バスバそれぞれは、前記バスバハウジング若しくは前記コンデンサハウジングに固定されている電力変換装置。
【請求項１１】
前記電源バスバは、前記フィルタハウジングと前記回路バスバそれぞれとともに、前記バスバハウジング若しくは前記コンデンサハウジングに固定されている請求項１０に記載の電力変換装置。
【請求項１２】
前記フィルタハウジングには局所的に凹んだ凹部（３２７ａ）が形成され、
前記受動素子は前記凹部に設けられ、
前記受動素子の一部が前記樹脂部材に埋設されている請求項１０または請求項１１に記載の電力変換装置。
【請求項１３】
前記フィルタはコモンモードノイズフィルタであり、
前記受動素子は磁気結合した第１コイル（３２１）と第２コイル（３２２）を有する請求項１〜１２いずれか１項に記載の電力変換装置。
【発明の詳細な説明】
【技術分野】
【０００１】
本明細書に記載の開示は、フィルタを有する電力変換装置に関するものである。
【背景技術】
【０００２】
特許文献１に示されるように、コンバータと発熱部品がベースプレートに搭載された電力変換装置が知られている。発熱部品にはフィルタコンデンサが含まれている。
【先行技術文献】
【特許文献】
【０００３】
【特許文献１】特開２０１７−１１２７６８号公報
【発明の概要】
【発明が解決しようとする課題】
【０００４】
特許文献１に示される電力変換装置において、コンバータとフィルタコンデンサ（フィルタ）が別々に振動すると、両者の電気的な接続部位で電気的な接続不良が生じる虞がある。
【０００５】
そこで本明細書に記載の開示は、電気的な接続不良の発生が抑制された電力変換装置を提供することを目的とする。
【課題を解決するための手段】
【０００６】
開示の１つは、バッテリ（２００）と接続されるフィルタ（３２０）と、
フィルタを介して供給されたバッテリの電圧を変換するコンバータ（３３０）と、
フィルタとコンバータを接続する回路バスバ（３３１，３３２）と、を有し、
フィルタは、回路バスバと接続される受動素子（３２１，３２２）と、受動素子を収納するフィルタハウジング（３２７）と、受動素子をフィルタハウジングに固定する樹脂部材（３２８）と、を有し、
回路バスバがフィルタハウジングに固定されている。
【０００７】
開示の１つは、バッテリ（２００）と接続されるフィルタ（３２０）と、
フィルタを介して供給されたバッテリの電圧を変換するコンバータ（３３０）と、
バッテリとフィルタを接続する電源バスバ（３１１，３１２）、および、電源バスバを収納するバスバハウジング（３１３）を備える端子台（３１０）と、
フィルタとコンバータを接続する回路バスバ（３３１，３３２）と、を有し、
フィルタは、電源バスバと回路バスバそれぞれと接続される受動素子（３２１，３２２）と、受動素子をバスバハウジングに固定する樹脂部材（３２８）と、を有し、
回路バスバがバスバハウジングに固定されている。
【０００８】
開示の１つは、バッテリ（２００）と接続されるフィルタ（３２０）と、
フィルタを介して供給されたバッテリの電圧を変換するコンバータ（３３０）と、
バッテリと接続される平滑コンデンサ（３５１）、および、平滑コンデンサを収納するコンデンサハウジング（３５４）を備えるコンデンサユニット（３５０）と、
フィルタとコンバータを接続する回路バスバ（３３１，３３２）と、を有し、
フィルタは、回路バスバと接続される受動素子（３２１，３２２）と、受動素子をコンデンサハウジングに固定する樹脂部材（３２８）と、を有し、
回路バスバがコンデンサハウジングに固定されている。
【０００９】
開示の１つは、バッテリ（２００）と接続されるフィルタ（３２０）と、
フィルタを介して供給されたバッテリの電圧を変換するコンバータ（３３０）と、
バッテリとフィルタを接続する電源バスバ（３１１，３１２）、および、電源バスバを収納するバスバハウジング（３１３）を備える端子台（３１０）と、
フィルタとコンバータを接続する回路バスバ（３３１，３３２）と、
バッテリと接続される平滑コンデンサ（３５１）、および、平滑コンデンサを収納するコンデンサハウジング（３５４）を備えるコンデンサユニット（３５０）と、を有し、
フィルタは、電源バスバと回路バスバそれぞれと接続される受動素子（３２１，３２２）と、受動素子を収納するフィルタハウジング（３２７）と、受動素子をフィルタハウジングに固定する樹脂部材（３２８）と、を有し、
フィルタハウジングと回路バスバそれぞれは、バスバハウジング若しくはコンデンサハウジングに固定されている。
【００１０】
このように受動素子（３２１，３２２）と回路バスバ（３３１，３３２）がハウジングに固定される。そのために受動素子（３２１，３２２）と回路バスバ（３３１，３３２）とが別々に振動することが抑制される。受動素子（３２１，３２２）と回路バスバ（３３１，３３２）との接続点への応力印加が抑制される。受動素子（３２１，３２２）と回路バスバ（３３１，３３２）との接続部位での電気的な接続不良の発生が抑制される。
【００１１】
なお、上記の括弧内の参照番号は、後述の実施形態に記載の構成との対応関係を示すものに過ぎず、技術的範囲を何ら制限するものではない。
【図面の簡単な説明】
【００１２】
【図１】車載システムの概略構成を示すブロック図である。
【図２】電力変換装置の概略構成を示す模式図である。
【図３】第１実施形態に係る電力変換装置のフィルタの固定状態を示す断面図である。
【図４】第１実施形態における電源バスバと回路バスバの固定状態を示す上面図である。
【図５】第２実施形態に係る電力変換装置のフィルタの固定状態を示す断面図である。
【図６】第２実施形態における電源バスバと回路バスバの固定状態を示す上面図である。
【図７】第３実施形態に係る電力変換装置のフィルタの固定状態を示す断面図である。
【図８】第３実施形態における電源バスバと回路バスバの固定状態を示す上面図である。
【図９】第４実施形態に係る電力変換装置のフィルタの固定状態を示す断面図である。
【図１０】第４実施形態における電源バスバと回路バスバの固定状態を示す上面図である。
【発明を実施するための形態】
【００１３】
以下、実施形態を図に基づいて説明する。
【００１４】
（第１実施形態）
＜車載システム＞
先ず、図１に基づいて電力変換装置３００の設けられる車載システム１００を説明する。この車載システム１００は電気自動車用のシステムを構成している。車載システム１００は、バッテリ２００、電力変換装置３００、および、モータ４００を有する。
【００１５】
また車載システム１００は複数のＥＣＵを有する。これら複数のＥＣＵはバス配線を介して相互に信号を送受信している。複数のＥＣＵは協調して電気自動車を制御している。複数のＥＣＵの制御により、バッテリ２００のＳＯＣに応じたモータ４００の力行と回生が制御される。図１では複数のＥＣＵの代表としてＭＧＥＣＵ３４０を示している。ＭＧＥＣＵ３４０は電力変換装置３００に含まれている。ＳＯＣはstate of chargeの略である。ＥＣＵはelectronic control unitの略である。
【００１６】
バッテリ２００は複数の二次電池を有する。これら複数の二次電池は直列接続された電池スタックを構成している。この電池スタックのＳＯＣがバッテリ２００のＳＯＣに相当する。二次電池としてはリチウムイオン二次電池、ニッケル水素二次電池、および、有機ラジカル電池などを採用することができる。
【００１７】
電力変換装置３００はバッテリ２００とモータ４００との間での電力変換を行う。それとともに電力変換装置３００はバッテリ２００の直流電力を降圧する。電力変換装置３００はその降圧した直流電力を、ＭＧＥＣＵ３４０などのモータ４００と比べて消費電力の低い車載機器に供給する。
【００１８】
モータ４００は図示しない電気自動車の出力軸に連結されている。モータ４００の回転エネルギーは出力軸を介して電気自動車の走行輪に伝達される。逆に、走行輪の回転エネルギーは出力軸を介してモータ４００に伝達される。
【００１９】
モータ４００は電力変換装置３００から供給される交流電力によって力行する。これにより走行輪への推進力の付与が成される。またモータ４００は走行輪から伝達される回転エネルギーによって回生する。これによりモータ４００で交流電力が生成される。
【００２０】
＜電力変換装置＞
次に電力変換装置３００を説明する。図１および図２に示すように電力変換装置３００は、端子台３１０、フィルタ３２０、コンバータ３３０、および、ＭＧＥＣＵ３４０を有する。また電力変換装置３００は、第１コンデンサユニット３５０、第２コンデンサユニット３６０、インバータ３７０、および、ケース３８０を有する。ケース３８０に、端子台３１０、フィルタ３２０、コンバータ３３０、ＭＧＥＣＵ３４０、第１コンデンサユニット３５０、第２コンデンサユニット３６０、および、インバータ３７０それぞれが収納されている。そしてこれら収納物はボルトなどによってケース３８０に固定されている。
【００２１】
図２において簡易的に示すようにケース３８０は、筐体３８１と、筐体３８１の内壁に連結された連結壁３８２と、を有する。筐体３８１と連結壁３８２それぞれの形成材料はアルミニウムなどの金属である。
【００２２】
連結壁３８２には冷媒を流動させるための流路が構成されている。この連結壁３８２には、電力変換装置３００の構成要素のうちの特に発熱しやすいものが搭載される。具体的に言えば、コンバータ３３０、第１コンデンサユニット３５０、第２コンデンサユニット３６０、インバータ３７０などが連結壁３８２に搭載される。なおＭＧＥＣＵ３４０が連結壁３８２に搭載される構成を採用することもできる。他の構成要素は筐体３８１に適宜固定される。図２では第２コンデンサユニット３６０を他の構成要素と重ねて図示している。
【００２３】
コンバータ３３０はバッテリ２００から供給される直流電力をＭＧＥＣＵ３４０などの車載機器の要求電圧に応じて降圧する。インバータ３７０はバッテリ２００の直流電力を交流電力に変換する。この交流電力がモータ４００に供給される。またインバータ３７０はモータ４００で生成された交流電力を直流電力に変換する。以下、電力変換装置３００の電気的な接続構成を説明する。
【００２４】
＜電力変換装置の電気的な接続構成＞
図１に示すように端子台３１０は第１電源バスバ３１１と第２電源バスバ３１２を有する。第１電源バスバ３１１がバッテリ２００の正極端子に接続される。第２電源バスバ３１２がバッテリ２００の負極端子に接続される。
【００２５】
フィルタ３２０は電磁ノイズを除去するための受動素子として第１コイル３２１と第２コイル３２２を有する。第１コイル３２１と第２コイル３２２は磁気結合している。これら２つのコイルによってコモンモードノイズフィルタが構成されている。
【００２６】
第１コイル３２１は２つの端子を有する。これら２つの端子には、その端子長さを延長するための延長バスバが溶接接合されている。具体的に言えば第１コイル３２１の有する２つの端子のうちの一方に第１延長バスバ３２３が溶接接合されている。第１コイル３２１の有する２つの端子のうちの他方に第２延長バスバ３２４が溶接接合されている。これら第１延長バスバ３２３と第２延長バスバ３２４は第１コイル３２１に接続されていなくともよい。
【００２７】
第１延長バスバ３２３に上記の第１電源バスバ３１１が機械的および電気的に接続される。第２延長バスバ３２４に第１回路バスバ３３１が機械的および電気的に接続される。
【００２８】
第２コイル３２２は２つの端子を有する。これら２つの端子にも、端子長さを延長するための延長バスバが溶接接合されている。具体的に言えば第２コイル３２２の有する２つの端子のうちの一方に第３延長バスバ３２５が溶接接合されている。第２コイル３２２の有する２つの端子のうちの他方に第４延長バスバ３２６が溶接接合されている。これら第３延長バスバ３２５と第４延長バスバ３２６は第２コイル３２２に接続されていなくともよい。
【００２９】
第３延長バスバ３２５に上記の第２電源バスバ３１２が機械的および電気的に接続される。第４延長バスバ３２６に第２回路バスバ３３２が機械的および電気的に接続される。
【００３０】
コンバータ３３０は電子素子が配線基板に搭載された回路基板を有する。この回路基板に上記の第１回路バスバ３３１と第２回路バスバ３３２それぞれが機械的および電気的に接続されている。
【００３１】
以上に示した電気的な接続構成により、バッテリ２００とコンバータ３３０とがコモンモードノイズフィルタを構成する第１コイル３２１と第２コイル３２２を介して電気的に接続されている。コモンモードノイズフィルタによってノイズの除去されたバッテリ２００の直流電力がコンバータ３３０に供給される。
【００３２】
図示しないが、コンバータ３３０の配線基板は第１回路バスバ３３１と電気的に接続される第１電力配線、第２回路バスバ３３２と電気的に接続される第２電力配線、および、第２電力配線よりも高電位となる第３電力配線を有する。
【００３３】
そしてコンバータ３３０の電子素子は第３電力配線と第２電力配線との間で並列接続された１相以上のレグを有する。１相のレグは第３電力配線と第２電力配線との間で直列接続された２つのスイッチ素子を有する。
【００３４】
またコンバータ３３０の電子素子は、レグと同数のリアクトルを有する。リアクトルは１相のレグの備える２つのスイッチ素子の間の中点と第１電力配線とを接続する。レグの備える２つのスイッチ素子が上記のＥＣＵおよび図示しないゲートドライバによってＰＷＭ制御される。このＰＷＭ制御によりバッテリ２００から供給された直流電力が降圧される。
【００３５】
第１コンデンサユニット３５０は第１コンデンサ３５１、第１平滑バスバ３５２、および、第２平滑バスバ３５３を有する。図１に示すように第１平滑バスバ３５２は第１電源バスバ３１１と機械的および電気的に接続されている。第２平滑バスバ３５３は第２電源バスバ３１２と機械的および電気的に接続されている。なお、第１平滑バスバ３５２と第１電源バスバ３１１は一体でも、別体でもよい。第２平滑バスバ３５３と第２電源バスバ３１２は一体でも、別体でもよい。
【００３６】
第１コンデンサ３５１は第１平滑バスバ３５２と第２平滑バスバ３５３との間に接続されている。第１コンデンサ３５１の備える２つの電極のうちの一方が第１平滑バスバ３５２に接続されている。第１コンデンサ３５１の備える２つの電極のうちの他方が第２平滑バスバ３５３に接続されている。第１コンデンサ３５１が平滑コンデンサに相当する。
【００３７】
第２コンデンサユニット３６０は第２コンデンサ３６１、第３平滑バスバ３６２、および、第４平滑バスバ３６３を有する。第３平滑バスバ３６２は第１平滑バスバ３５２と機械的および電気的に接続されている。第４平滑バスバ３６３は第２平滑バスバ３５３と機械的および電気的に接続されている。なお、第１平滑バスバ３５２と第３平滑バスバ３６２は一体でも、別体でもよい。第２平滑バスバ３５３と第４平滑バスバ３６３は一体でも、別体でもよい。
【００３８】
第２コンデンサ３６１は第３平滑バスバ３６２と第４平滑バスバ３６３との間に接続されている。第２コンデンサ３６１の備える２つの電極のうちの一方が第３平滑バスバ３６２に接続されている。第２コンデンサ３６１の備える２つの電極のうちの他方が第４平滑バスバ３６３に接続されている。
【００３９】
そして第３平滑バスバ３６２と第４平滑バスバ３６３がインバータ３７０に機械的および電気的に接続されている。
【００４０】
以上に示した接続構成により、バッテリ２００に対して第１コンデンサ３５１、第２コンデンサ３６１、および、インバータ３７０それぞれが電気的に接続されている。バッテリ２００の直流電力が第１コンデンサ３５１、第２コンデンサ３６１、および、インバータ３７０それぞれに供給される。
【００４１】
なお、電力変換装置３００は第１コンデンサユニット３５０と第２コンデンサユニット３６０の両方を有さなくともよい。電力変換装置３００が第１コンデンサユニット３５０だけを有する構成を採用することもできる。
【００４２】
インバータ３７０は第３平滑バスバ３６２と第４平滑バスバ３６３との間で並列接続された３相以上のレグを有する。これら３相以上のレグそれぞれは直列接続された２つのスイッチ素子を有する。これら２つのスイッチ素子の間の中点にバスバが接続されている。このバスバがモータ４００のステータコイルと電気的に接続されている。スイッチ素子が上記のＥＣＵとゲートドライバによってＰＷＭ制御される。これによりバッテリ２００から供給される直流電力が交流電力に変換される。モータ４００での回生（発電）によって生成された交流電力が直流電力に変換される。
【００４３】
本実施形態のインバータ３７０は、上記した複数のスイッチ素子の他に、これら複数のスイッチ素子を冷却するための冷却体を有する。冷却体は冷媒供給管と、冷媒排出管と、冷媒供給管と冷媒排出管とを連結中継する複数の中継管と、を有する。冷媒はこれら３つの管の中を流れる。冷媒は複数の中継管を介して冷媒供給管から冷媒排出管へと流れる。
【００４４】
冷媒供給管と冷媒排出管は同一方向に延びている。複数の中継管はそれぞれ冷媒供給管から冷媒排出管へと向かって延びている。複数の中継管は冷媒供給管と冷媒排出管それぞれの延びる方向で離間して並んでいる。
【００４５】
隣り合う２つの中継管の間に空隙が構成されている。スイッチ素子はこの空隙に設けられる。スイッチ素子は中継管と接触している。スイッチ素子で生じた熱が中継管を介して冷媒に放熱される。
【００４６】
なお、これまでに記載したスイッチ素子としてはＩＧＢＴやＭＯＳＦＥＴなどを採用することができる。スイッチ素子の形成材料としては、Ｓｉなどの半導体、および、ＳｉＣなどのワイドギャップ半導体を採用することができる。
【００４７】
＜電力変換装置の機械的な接続構成＞
次に電力変換装置３００の機械的な接続構成を説明する。端子台３１０は上記した第１電源バスバ３１１と第２電源バスバ３１２を収納するバスバハウジング３１３を有する。バスバハウジング３１３は絶縁性の樹脂材料から成る。バスバハウジング３１３はボルトなどによって筐体３８１に固定されている。
【００４８】
フィルタ３２０は上記した第１コイル３２１と第２コイル３２２を収納するフィルタハウジング３２７を有する。フィルタハウジング３２７は絶縁性の樹脂材料から成る。図３に示すようにフィルタハウジング３２７はボルトなどによって筐体３８１に固定されている。
【００４９】
図３および図４に示すように、フィルタハウジング３２７には局所的に凹んだ第２凹部３２７ａが形成されている。この第２凹部３２７ａに第１コイル３２１と第２コイル３２２それぞれが設けられている。第１コイル３２１と第２コイル３２２はそれぞれ絶縁性の樹脂部材３２８によって第２凹部３２７ａ内でフィルタハウジング３２７に固定されている。第１コイル３２１と第２コイル３２２それぞれのバスバとの溶接接合部位を除く部位の少なくとも一部が樹脂部材３２８に埋設されている。第１コイル３２１と第２コイル３２２それぞれの端子を延長する第１延長バスバ３２３〜第４延長バスバ３２６それぞれは樹脂部材３２８の外に位置している。
【００５０】
図４に示すように第１延長バスバ３２３と第１電源バスバ３１１は第１ボルト３９１によって機械的および電気的に接続されている。それとともに第１延長バスバ３２３と第１電源バスバ３１１は第１ボルト３９１によって第１コンデンサハウジング３５４に機械的に接続（固定）されている。
【００５１】
第２延長バスバ３２４と第１回路バスバ３３１は第２ボルト３９２によって機械的および電気的に接続されている。それとともに第２延長バスバ３２４と第１回路バスバ３３１は第２ボルト３９２によってフィルタハウジング３２７に固定されている。
【００５２】
同様にして、第３延長バスバ３２５と第２電源バスバ３１２は第３ボルト３９３によって機械的および電気的に接続されている。それとともに第３延長バスバ３２５と第２電源バスバ３１２は第３ボルト３９３によって第１コンデンサハウジング３５４に固定されている。
【００５３】
第４延長バスバ３２６は第２回路バスバ３３２と第４ボルト３９４によって機械的および電気的に接続されている。それとともに第４延長バスバ３２６と第２回路バスバ３３２は第４ボルト３９４によってフィルタハウジング３２７に固定されている。図１では第１ボルト３９１〜第４ボルト３９４それぞれを白丸で示している。
【００５４】
なお、延長バスバと電源バスバとがボルトによって接続されるとともに、一部が溶接などによって機械的および電気的に接合された構成を採用することもできる。この場合、延長バスバと電源バスバとは、ボルトによって電気的に接続されていなくともよい。
【００５５】
同様にして、延長バスバと回路バスバとがボルトによって接続されるとともに、一部が溶接などによって機械的および電気的に接合された構成を採用することもできる。この場合、延長バスバと回路バスバとは、ボルトによって電気的に接続されていなくともよい。
【００５６】
第１コンデンサユニット３５０は上記した第１コンデンサ３５１、第１平滑バスバ３５２、および、第２平滑バスバ３５３を収納する第１コンデンサハウジング３５４を有する。第１コンデンサハウジング３５４は絶縁性の樹脂材料から成る。第１平滑バスバ３５２と第２平滑バスバ３５３それぞれの一部が第１コンデンサハウジング３５４にインサート成形されている。そして第１コンデンサハウジング３５４はボルトなどによって連結壁３８２に固定されている。また、上記したように本実施形態では第１コンデンサハウジング３５４に、第１延長バスバ３２３と第１電源バスバ３１１、および、第３延長バスバ３２５と第２電源バスバ３１２それぞれがボルト止めされている。
【００５７】
第２コンデンサユニット３６０も第１コンデンサユニット３５０と同様にして絶縁性の樹脂材料から成る第２コンデンサハウジング３６４を有している。図２に概略的に示すように第２コンデンサユニット３６０は第１コンデンサユニット３５０よりも体格が大きくなっている。
【００５８】
第２コンデンサユニット３６０は、図１に示す回路構成のために、第１コンデンサユニット３５０よりも端子台３１０から遠くに配置されやすくなる。そのために第１延長バスバ３２３と第３延長バスバ３２５は第２コンデンサハウジング３６４ではなく、第１コンデンサハウジング３５４にボルト止めされている。
【００５９】
＜作用効果＞
次に電力変換装置３００の作用効果を説明する。上記したように第１コイル３２１と第２コイル３２２がフィルタハウジング３２７に固定されている。そして第１コイル３２１と第２コイル３２２に接続される第１回路バスバ３３１と第２回路バスバ３３２それぞれがフィルタハウジング３２７に固定されている。
【００６０】
そのために第１コイル３２１と第１回路バスバ３３１とが車両の振動などの外力によって別々に振動することが抑制される。同様にして、第２コイル３２２と第２回路バスバ３３２とが別々に振動することが抑制される。これにより第１コイル３２１と第１回路バスバ３３１との接続部位、および、第２コイル３２２と第２回路バスバ３３２との接続部位それぞれへの応力印加が抑制される。これらコイルと回路バスバとの接続部位での電気的な接続不良の発生が抑制される。
【００６１】
上記したように第１コイル３２１と第２コイル３２２がフィルタハウジング３２７に固定されている。第１コイル３２１に接続される第１電源バスバ３１１と第２コイル３２２に接続される第２電源バスバ３１２それぞれが第１コンデンサハウジング３５４に固定されている。フィルタハウジング３２７と第１コンデンサハウジング３５４それぞれがケース３８０に固定されている。
【００６２】
このようにフィルタハウジング３２７と第１コンデンサハウジング３５４がケース３８０を介して間接的に連結されている。そのために第１コイル３２１と第１電源バスバ３１１とが車両の振動などの外力によって別々に振動することが抑制される。同様にして、第２コイル３２２と第２電源バスバ３１２とが別々に振動することが抑制される。これにより第１コイル３２１と第１電源バスバ３１１との接続部位、および、第２コイル３２２と第２電源バスバ３１２との接続部位それぞれへの応力印加が抑制される。これらコイルと電源バスバとの接続部位での電気的な接続不良の発生が抑制される。
【００６３】
なお、コイルと電源バスバとが別々に振動することをより効果的に抑制するために、フィルタハウジング３２７と第１コンデンサハウジング３５４とが嵌合などによって直接的に連結された構成を採用することもできる。両者の連結形態としては特に限定されない。
【００６４】
本実施形態では第１電源バスバ３１１と第２電源バスバ３１２それぞれが第１コンデンサハウジング３５４に固定される例を示した。しかしながら第１電源バスバ３１１と第２電源バスバ３１２それぞれがフィルタハウジング３２７に固定される構成を採用することもできる。第１電源バスバ３１１と第２電源バスバ３１２それぞれがバスバハウジング３１３に固定される構成を採用することもできる。
【００６５】
上記したようにコンバータ３３０は電子素子が配線基板に搭載された回路基板である。この配線基板にフィルタ３２０が搭載されていない。そのためにフィルタ３２０の備える受動素子の体格を配線基板の体格と剛性とにかかわらずに決定することができる。
【００６６】
（第２実施形態）
次に、第２実施形態を図５および図６に基づいて説明する。以下に示す各実施形態に係る電力変換装置は上記した実施形態によるものと共通点が多い。そのため以下においては共通部分の説明を省略し、異なる部分を重点的に説明する。また以下においては上記した実施形態で示した要素と同一の要素には同一の符号を付与する。
【００６７】
第１実施形態ではフィルタ３２０がフィルタハウジング３２７を有し、フィルタハウジング３２７に第１コイル３２１と第２コイル３２２が収納される例を示した。これに対して本実施形態ではバスバハウジング３１３に第１コイル３２１と第２コイル３２２が収納される。
【００６８】
図５および図６に示すように、バスバハウジング３１３には局所的に凹んだ第１凹部３１３ａが形成されている。この第１凹部３１３ａに第１コイル３２１と第２コイル３２２それぞれが設けられている。第１コイル３２１と第２コイル３２２はそれぞれ樹脂部材３２８によって第１凹部３１３ａ内でバスバハウジング３１３に固定されている。
【００６９】
図６に示すように第１延長バスバ３２３と第１電源バスバ３１１は第１ボルト３９１によってバスバハウジング３１３に機械的に接続（固定）されている。第２延長バスバ３２４と第１回路バスバ３３１は第２ボルト３９２によってバスバハウジング３１３に固定されている。
【００７０】
同様にして、第３延長バスバ３２５と第２電源バスバ３１２は第３ボルト３９３によってバスバハウジング３１３に固定されている。第４延長バスバ３２６と第２回路バスバ３３２は第４ボルト３９４によってバスバハウジング３１３に固定されている。
【００７１】
以上に示したように第１コイル３２１と第２コイル３２２それぞれがバスバハウジング３１３に固定されている。そして第１コイル３２１に接続される第１回路バスバ３３１と第１電源バスバ３１１、および、第２コイル３２２に接続される第２回路バスバ３３２と第２電源バスバ３１２それぞれがバスバハウジング３１３に固定されている。
【００７２】
そのために第１コイル３２１、第１回路バスバ３３１、および、第１電源バスバ３１１それぞれが車両の振動などの外力によって別々に振動することが抑制される。同様にして、第２コイル３２２、第２回路バスバ３３２、および、第２電源バスバ３１２それぞれが別々に振動することが抑制される。これにより第１コイル３２１と第１回路バスバ３３１との接続部位、および、第１コイル３２１と第１電源バスバ３１１との接続部位それぞれへの応力印加が抑制される。第２コイル３２２と第２回路バスバ３３２との接続部位、および、第２コイル３２２と第２電源バスバ３１２との接続部位それぞれへの応力印加が抑制される。この結果、コイルと回路バスバとの接続部位、および、コイルと電源バスバとの接続部位それぞれでの電気的な接続不良の発生が抑制される。
【００７３】
なお、本実施形態に係る電力変換装置３００には、第１実施形態に記載の電力変換装置３００と同等の構成要素が含まれている。そのために同等の作用効果を奏することは言うまでもない。以下に示す各実施形態、および、変形例においても同様である。
【００７４】
（第３実施形態）
次に、第３実施形態を図７および図８に基づいて説明する。
【００７５】
第２実施形態ではバスバハウジング３１３に第１コイル３２１と第２コイル３２２が収納される例を示した。これに対して本実施形態では第１コンデンサハウジング３５４に第１コイル３２１と第２コイル３２２が収納される。
【００７６】
図７および図８に示すように、第１コンデンサハウジング３５４には局所的に凹んだ第３凹部３５４ａが形成されている。この第３凹部３５４ａに第１コイル３２１と第２コイル３２２それぞれが設けられている。第１コイル３２１と第２コイル３２２はそれぞれ絶縁性の樹脂部材３２８によって第３凹部３５４ａ内で第１コンデンサハウジング３５４に固定されている。
【００７７】
図８に示すように第１延長バスバ３２３と第１電源バスバ３１１は第１ボルト３９１によって第１コンデンサハウジング３５４に機械的に接続（固定）されている。第２延長バスバ３２４と第１回路バスバ３３１は第２ボルト３９２によって第１コンデンサハウジング３５４に固定されている。
【００７８】
同様にして、第３延長バスバ３２５と第２電源バスバ３１２は第３ボルト３９３によって第１コンデンサハウジング３５４に固定されている。第４延長バスバ３２６と第２回路バスバ３３２は第４ボルト３９４によって第１コンデンサハウジング３５４に固定されている。
【００７９】
以上に示したように第１コイル３２１と第２コイル３２２それぞれが第１コンデンサハウジング３５４に固定されている。そして第１コイル３２１に接続される第１回路バスバ３３１と第１電源バスバ３１１、および、第２コイル３２２に接続される第２回路バスバ３３２と第２電源バスバ３１２それぞれが第１コンデンサハウジング３５４に固定されている。
【００８０】
そのため、第２実施形態の電力変換装置３００と同様にして、本実施形態の電力変換装置３００では、コイルと回路バスバとの接続部位、および、コイルと電源バスバとの接続部位それぞれでの電気的な接続不良の発生が抑制されている。
【００８１】
（第４実施形態）
次に、第４実施形態を図９および図１０に基づいて説明する。
【００８２】
第３実施形態では第１コイル３２１と第２コイル３２２が第１コンデンサハウジング３５４に収納された例を示した。これに対して本実施形態では第１コイル３２１と第２コイル３２２がフィルタハウジング３２７に収納されている。フィルタハウジング３２７が第１コンデンサハウジング３５４に固定されている。
【００８３】
第１コイル３２１と第２コイル３２２は第１実施形態と同様にして、フィルタハウジング３２７の第２凹部３２７ａに設けられている。第１コイル３２１と第２コイル３２２は樹脂部材３２８によって第２凹部３２７ａ内でフィルタハウジング３２７に固定されている。
【００８４】
図９および図１０に示すようにフィルタハウジング３２７はボルトなどによって第１コンデンサハウジング３５４に固定されている。そして第１延長バスバ３２３と第１電源バスバ３１１は第１ボルト３９１によって第１コンデンサハウジング３５４に機械的に接続（固定）されている。第２延長バスバ３２４と第１回路バスバ３３１は第２ボルト３９２によって第１コンデンサハウジング３５４に固定されている。
【００８５】
第３延長バスバ３２５と第２電源バスバ３１２は第３ボルト３９３によって第１コンデンサハウジング３５４に固定されている。第４延長バスバ３２６と第２回路バスバ３３２は第４ボルト３９４によって第１コンデンサハウジング３５４に固定されている。
【００８６】
以上に示したように第１コイル３２１と第２コイル３２２を収納するフィルタハウジング３２７が第１コンデンサハウジング３５４に固定されている。そして第１回路バスバ３３１と第１電源バスバ３１１、および、第２回路バスバ３３２と第２電源バスバ３１２それぞれが第１コンデンサハウジング３５４に固定されている。
【００８７】
そのため、例えば第３実施形態の電力変換装置３００と同様にして、本実施形態の電力変換装置３００では、コイルと回路バスバとの接続部位、および、コイルと電源バスバとの接続部位それぞれでの電気的な接続不良の発生が抑制されている。
【００８８】
本実施形態ではフィルタハウジング３２７、第１電源バスバ３１１、第２電源バスバ３１２、第１回路バスバ３３１、および、第２回路バスバ３３２それぞれが第１コンデンサハウジング３５４に固定される例を示した。しかしながらフィルタハウジング３２７、第１電源バスバ３１１、第２電源バスバ３１２、第１回路バスバ３３１、および、第２回路バスバ３３２それぞれがバスバハウジング３１３に固定される構成を採用することもできる。
【００８９】
以上、本開示の好ましい実施形態について説明したが、本開示は上記した実施形態になんら制限されることなく、本開示の主旨を逸脱しない範囲において、種々変形して実施することが可能である。
【００９０】
（その他の変形例）
各実施形態では電力変換装置３００の各種構成要素がボルト止めされる例を示した。これら複数のボルトそれぞれの締結方向は同一になっている。特に、インバータ３７０のケース３８０へのボルトの締結方向と、第１ボルト３９１〜第４ボルト３９４それぞれの締結方向とが同一になっている。このように締結方向を同一とすることで、ボルト止め作業が容易になっている。
【００９１】
各実施形態では電力変換装置３００が電気自動車用の車載システム１００に含まれる例を示した。しかしながら電力変換装置３００の適用としては特に上記例に限定されない。例えばモータと内燃機関を備えるハイブリッドシステムに電力変換装置３００が含まれる構成を採用することもできる。
【００９２】
各実施形態では電力変換装置３００が１つのモータ４００に接続される構成を示した。しかしながら電力変換装置３００が２つのモータ４００に接続される構成を採用することもできる。この場合、電力変換装置３００はインバータ３７０を２つ備える。
【符号の説明】
【００９３】
１００…車載システム、２００…バッテリ、３００…電力変換装置、３１０…端子台、３１１…第１電源バスバ、３１２…第２電源バスバ、３１３…バスバハウジング、３１３ａ…第１凹部、３２０…フィルタ、３２１…第１コイル、３２２…第２コイル、３２７…フィルタハウジング、３２７ａ…第２凹部、３２８…樹脂部材、３３０…コンバータ、３３１…第１回路バスバ、３３２…第２回路バスバ、３５０…第１コンデンサユニット、３５１…第１コンデンサ、３５４…第１コンデンサハウジング、３５４ａ…第３凹部、３８０…ケース、４００…モータ
【図１】
2020108250.tif 000003
【図２】
2020108250.tif 000004
【図３】
2020108250.tif 000005
【図４】
2020108250.tif 000006
【図５】
2020108250.tif 000007
【図６】
2020108250.tif 000008
【図７】
2020108250.tif 000009
【図８】
2020108250.tif 000010
【図９】
2020108250.tif 000011
【図１０】
2020108250.tif 000012